(57)【要約】【課題】本発明は装飾を施すのに美観性と設計自由度ともに良好で、材料の選択範囲も広いキャップ体を有するゴルフクラブグリップを提供することを目的とする。【解決手段】本発明は、管状体であり、その一端１１１が開口し、他端１１２が完全に閉塞され、且つ、該開口１１ａからゴルフクラブシャフトの掌握端に挿入されて該掌握端に取り付けられうるように形成されていることを特徴とするゴルフクラブグリップを提供する。【選択図】図１
2006198402.tif 000002
【特許請求の範囲】
【請求項１】
管状体であり、その一端が開口し、他端が完全に閉塞され、且つ、該開口からゴルフクラブシャフトの掌握端に挿入されて該掌握端に取り付けられうるように形成されていることを特徴とする、ゴルフクラブグリップ。
【請求項２】
第一端と該第一端の反対側にある第二端とを有する管状体であり、該第一端と第二端とも開口し、該第一端の開口からゴルフクラブシャフトの掌握端に挿入されてそれに取り付けられ、且つ挿入中に該第二端の開口から排気することができるように形成されているスリーブ体と、
シート状のものであり、前記スリーブ体の外周面を包んで筒状になっている滑り防止カバーと、
取り外し可能に前記第二端に該第二端の開口を覆うように取付けられているキャップ体とを備えていることを特徴とする、ゴルフクラブグリップ。
【請求項３】
前記第二端は、ゴルフクラブシャフトの挿通を阻止できる平面状の端板になっており、前記第二端の開口は、該端板に形成されていることを特徴とする、請求項２に記載のゴルフクラブグリップ。
【請求項４】
前記キャップ体は、平板体と、該平板体の周縁から前記スリーブ体の第一端の方へ延伸して端縁になるように形成された周壁とからなっており、
前記スリーブ体の第一端の外周にフランジが張出するように形成されており、
また、前記筒状になっている滑り防止カバーは、その前記スリーブ体の第一端に近い一端が前記フランジに当接し、その前記スリーブ体の第二端に近い他端が前記キャップ体の周壁にて覆われていることを特徴とする、請求項２に記載のゴルフクラブグリップ。
【請求項５】
前記キャップ体は、平板体と、該平板体の周縁から前記スリーブ体の第一端の方へ延伸するように形成された周壁とからなり、
前記スリーブ体の第一端の外周にフランジが張出しになるように形成され、
また、前記筒状になっている滑り防止カバーは、その前記スリーブ体の第一端に近い一端が前記フランジに当接し、その前記スリーブ体の第二端に近い他端が前記キャップ体の周壁の端縁に当接していることを特徴とする、請求項２に記載のゴルフクラブグリップ。
【請求項６】
前記周壁に第一のねじ穴が形成されており、前記スリーブ体に前記第一のねじ穴と対応する第二のねじ穴が形成されており、
さらに、前記第一のねじ穴と前記第二のねじ穴とを貫通して前記キャップ体を前記スリーブ体に取り外し可能に固定しているビスを備えたことを特徴とする、請求項４または５に記載のゴルフクラブグリップ。
【請求項７】
前記周壁の内周面に係止用突起が形成されており、前記スリーブ体の外周面に係止用凹部が前記係止用突起と対応するように形成されており、また、前記係止用突起を前記係止用凹部に嵌め込んで前記キャップ体を前記スリーブ体に取り外し可能に固定していることを特徴とする、請求項４または５に記載のゴルフクラブグリップ。
【請求項８】
前記キャップ体における平板体の外表面に装飾用凹部が形成されており、前記装飾用凹部に装飾材料が嵌め込まれていることを特徴とする、請求項４または５に記載のゴルフクラブグリップ。
【請求項９】
前記キャップ体における平板体の周縁に該平板体から前記周壁の反対方向に環状フェンスが延伸して形成され、前記環状フェンス及び該平板体により画成された空間に透明なプロテクターが嵌め込まれて前記装飾材料を覆っていることを特徴とする、請求項８に記載のゴルフクラブグリップ。
【請求項１０】
前記キャップ体における平板体の周縁に該平板体から前記周壁の反対方向に環状フェンスが延伸して形成され、前記環状フェンス及び該平板体により画成された空間に装飾材料が嵌め込まれていることを特徴とする、請求項４または５に記載のゴルフクラブグリップ。
【発明の詳細な説明】
【技術分野】
【０００１】
本発明は、ゴルフクラブグリップに関し、特に、キャップ体が取り外せるゴルフクラブグリップに関する。
【背景技術】
【０００２】
この発明の背景技術については、下記のように、本発明人が提案したゴルフクラブグリップを従来例として説明する（特許文献１参照）。
図１０は、この従来例の分解図を示し、図１１は、この従来例の縦断面図を示している。
まず、図１０に示すように、従来のゴルフクラブグリップ７０は、主としてスリーブ体７１と、滑り防止カバー７２と、キャップ体７３とからなったものである。
そして、図１１の縦断面図を図１０と併せてみると、スリーブ体７１は、管状体であり、その一端は、開口７１ａが開いていて、ゴルフクラブシャフトの掌握端（図示せず）に挿入されて該掌握端に取り付けられることができ、他端は、平面状の端板７１ｂになっている。該平面状の端板７１ｂには、その外表面から突出してなっていて、スリーブ体７１の管状体内がゴルフクラブシャフトの掌握端に挿入されるとその中の圧力をリリースするためのガス抜きポート７１ｃが設けてある。滑り防止カバー７２は、シート状のものであり、スリーブ体７１の外周を包んで全体の形状が筒状になっているものである。そして、キャップ体７３は、スリーブ体７１に前記他端の方から端板７１ｂを覆うように取付けられている。
そして、キャップ体７３のスリーブ体７１への取付は、主として、それに形成してある開口７３ａのガス抜きポート７１ｃに緊密的に嵌挿されることによりなっている。
【０００３】
【特許文献１】台湾特許公開番号５５９０９８
【発明の開示】
【発明が解決しようとする課題】
【０００４】
しかし、上述のようなゴルフクラブグリップは、そのキャップ体７３の表面に装飾を施そうとしても、ギャップ体７３の開口７３ａが開いていることで全体の美観性が損なわれることになり、そして装飾を設計するときの自由度も設計できるスぺースが開口７３ａに取られるため悪影響を受けている。その上、キャップ体７３を製造するには開口７３ａを開ける工程が必要なので、該工程に適している材料も限られている。
上記の問題点に鑑みて、本発明は、装飾を施すには美観性と設計自由度ともに良好で、材料の選択範囲も広いキャップ体を有するゴルフクラブグリップを提供することを目的とする。
【課題を解決するための手段】
【０００５】
上記目的を達成するために、本発明は、管状体であり、その一端が開口し、他端が完全に閉塞され、且つ、該開口からゴルフクラブシャフトの掌握端に挿入されて該掌握端に取り付けられうるように形成されていることを特徴とするゴルフクラブグリップを提供する。
具体的に説明すると、本発明は、第一端と該第一端の反対側にある第二端を有する管状体であり、該第一端と第二端とも開口し、該第一端の開口からゴルフクラブシャフトの掌握端に挿入されてそれに取り付けられ、且つ挿入中に該第二端の開口から排気することができるように形成されているスリーブ体と、シート状のものであり、前記スリーブ体の外周を包んで筒状になっている滑り防止カバーと、取り外し可能に前記第二端に該第二端の開口を覆うように取付けられているキャップ体とを備えてなっていることを特徴とするゴルフクラブグリップを提供する。
更に、前記キャップ体のスリーブ体への取付は、従来の正面からの（すなわち、ゴルフクラブシャフトの長手方向の端から中央に向けての）嵌合ではなくて、ねじ付けや側面的な凹凸結合によりなっていることを特徴とするゴルフクラブグリップを提供する。
【発明の効果】
【０００６】
上記構成による本発明のゴルフクラブグリップは、美観性も設計の自由度も優れ、装飾を施すのに適し、またキャップ体の構成材料の選択範囲も広いので、従来のゴルフクラブグリップより高いクォリティーや質感を持ち得る上、更に前記キャップ体のスリーブ体への取付は、従来の正面的な嵌合ではなくてねじ付けや側面的な凹凸結合によりなっていて取り外せるので、使用者が自由にそれぞれユニークなキャップ体を速く緩ませることなく交換することもできるため、商品としての価値を格段に高めることができる。
【発明を実施するための最良の形態】
【０００７】
図１は、本発明における第１の実施形態のゴルフクラブグリップ１０の分解図を示し、図２は、この第１の実施形態のゴルフクラブグリップ１０の要部横断面図を示し、そして、図３は、この第１の実施形態のゴルフクラブグリップ１０の要部縦断面図を示している。
図１に示すように、本発明における第１の実施形態のゴルフクラブグリップ１０は、主として、スリーブ体１１と、滑り防止カバー１２と、キャップ体１３とからなったものである。
【０００８】
スリーブ体１１は、第一端１１１と、第一端１１１の反対側にある第二端１１２を有する管状体である。第一端１１１は、開口１１ａが開いている上、その近くにあるスリーブ体１１の外周面にフランジ１１３が張出しになっている。そして、第二端１１２は、平面状の端板になっており、該端板の中心近くに小さな開口１１ｂが、また外周面に三つのねじ穴１１ｃがそれぞれ形成されている。
【０００９】
このゴルフクラブグリップ１０のゴルフクラブシャフトの掌握端（図示せず）への取り付けは、ゴルフクラブシャフトの掌握端を開口１１ａに挿入してから、第二端１１２が形成されている端板（端に有する板）によりゴルフクラブシャフトの挿通を阻止することにより行われる。小さな開口１１ｂは、ゴルフクラブシャフトの挿入中にスリーブ体２の内部の空気を排出して、挿入を可能にさせるガス抜きである。
【００１０】
滑り防止カバー１２は、シート状のものであり、且つ、図２に示すように、その両側縁が互いに当接する筒状になるように、バインダー層１２ａの粘着により、スリーブ体１１の外周面を包んでいる。そして、この筒状になった滑り防止カバー１２におけるスリーブ体１１の第一端１１１に近い一端は、フランジ１１３に当接している。
【００１１】
キャップ体１３は、平板体１３１と、該平板体１３１の周縁からスリーブ体１１の第一端１１１の方へ延伸して端縁１３３になるように形成された周壁１３２とからなっている上に、スリーブ体１１における第二端１１２の小さな開口１１ｂを覆うように取り付けられている。また、周壁１３２は、スリーブ体１１における三つのねじ穴１１ｃと対応する三つのねじ穴１３ａが形成されている。
【００１２】
図３に示すように、キャップ体１３における周壁１３２の端縁１３３近傍は、滑り防止カバー１２におけるスリーブ体１１の第二端１１２に近い一端近くを、周りから覆っている。そして、図１及び図３に示すように、周壁１３２における各ねじ穴１３ａとそれら（各ねじ穴１３ａ）にそれぞれ対応するスリーブ体１１の外表面におけるねじ穴１１ｃとは、それぞれビス１３４により締付けられているので、キャップ体１３は、スリーブ体１１に取り外し可能に固定されている。
【００１３】
この構成による本実施形態のゴルフクラブグリップ１０におけるキャップ体１３の外表面は、美観性も設計の自由度も優れ、装飾を施すには適している開口のない平面であり、また製造するにあたり開口を開ける工程を必要としないので、キャップ体１３の構成材料の選択範囲も広くなる。更に、ねじ付けの結合によりキャップ体１３のスリーブ体１１への取付をより丈夫にする上、キャップ体１３の取り外しも簡単である。
【００１４】
続いて、図４及び図５を用いて、本発明における第２の実施形態のゴルフクラブグリップ２０について説明する。
図４は、この第２の実施形態のゴルフクラブグリップ２０の要部横断面図を示し、そして、図５は、この第２の実施形態のゴルフクラブグリップ２０の要部縦断面図を示す。
第２の実施形態のゴルフクラブグリップ２０の構成は、ほぼ第１の実施形態のゴルフクラブグリップ１０と同じなので、以下はその異なる部分だけについて説明する。
【００１５】
図４に示すように、ゴルフクラブグリップ２０は、筒状に形成され、スリーブ体２１の外周面を包んでいる滑り防止シート２２は、その互いに当接している両側縁がそれぞれ対応する凹凸接合構造２２１、２２２になっていて、互いに嵌合している。
そして、図５に示すように、滑り防止カバー１２におけるスリーブ体２１の第二端２１２に近い一端は、キャップ体２３における端縁２３３と当接している。
【００１６】
続いて、図６を用いて、本発明における第３の実施形態のゴルフクラブグリップ３０について説明する。
図６は、第３の実施形態のゴルフクラブグリップ３０の要部縦断面図を示している。
第３の実施形態のゴルフクラブグリップ３０の構成もほぼ第１の実施形態のゴルフクラブグリップ１０と同じであるので、以下はその異なる部分だけについて説明する。
【００１７】
図６に示すように、スリーブ体３１の端板になっている第２端の外周面に係止用凹部３１ｃが形成されており、またキャップ体３３における周壁３３２の内表面に、係止用凹部３１ｃに対応する係止用突起３３ａが形成されている。そして、図示のように、係止用突起３３ａは、係止用凹部３１ｃに嵌め込まれてそれと側面的な凹凸結合構造になるように形成され、キャップ体３３をスリーブ体３１に取り外し可能に固定している。
【００１８】
これら第２及び第３の実施形態の構成によっても、第１の実施形態のゴルフクラブグリップ１と同じような効果を発揮出来る。
【００１９】
続いて、本発明における第４から第６までの実施形態について説明する。第４から第６までの実施形態は、前記いずれかの実施形態を基として更に装飾を加えた三つの変形形態である。
図７は、第４の実施形態のゴルフクラブグリップ４０の要部縦断面図を示している。
ゴルフクラブグリップ４０は、第１の実施形態を基として、キャップ体４３の外表面に複数の装飾用凹部４３ｃを更に形成し、且つ装飾用凹部４３ｃ内に宝石４３ｄを嵌め込まれてなるものである。無論、装飾用凹部４３ｃ内に嵌め込めるものは、宝石に限られるのではなく、貴金属や他の装飾材料も使用出来る。
【００２０】
図８は、第５の実施形態のゴルフクラブグリップ５０の要部縦断面図を示している。
ゴルフクラブグリップ５０は、第４の実施形態におけるゴルフクラブグリップ４０を基として更に改良したものである。キャップ体５３における平板体５３１の周縁に平板体５３１から周壁５３２の反対方向に環状フェンス５３５が延伸され、そして、環状フェンス５３５及び平板体５３１により画成された空間に、透明なプロテクター５３ｅが嵌め込まれていて、前記宝石５３ｄを見えるように覆って保護している。
【００２１】
図９は、第６の実施形態のゴルフクラブグリップ６０の要部縦断面図を示している。
ゴルフクラブグリップ６０も、第１の実施形態におけるゴルフクラブグリップ１０を基として、更に改良したものである。キャップ体６３における平板体６３１の周縁に、平板体６３１から周壁６３２の反対方向に環状フェンス６３５が延伸されてなっており、そして、環状フェンス６３５及び平板体６３１により画成された空間に、宝石６３ｅが嵌め込まれている。
【００２２】
これら第４から第６までの実施形態の構成は、本発明のゴルフクラブグリップにおけるキャップ体の表面の優れている美観性及び設計の自由度を生かして形成されたものである。そして、本発明のゴルフクラブグリップは、これらの装飾により高いクォリティーや質感を持つことができる。更に、すべての実施形態のゴルフクラブグリップにおけるキャップ体は、ねじ付けや側面的な凹凸結合によりスリーブ体に取り付けられているので、使用者が自由にそれぞれ装飾が施されているキャップ体を緩ませることなく交換することもできる。
【産業上の利用可能性】
【００２３】
本発明のゴルフクラブグリップは、美観性も設計の自由度も優れ、装飾を施すには適し、またキャップ体の構成材料の選択範囲も広いので、従来のゴルフクラブグリップより高いクォリティーや質感を持ち得る上、更に前記キャップ体のスリーブ体への取付は、従来の正面的な嵌合ではなくてねじ付けや側面的な凹凸結合によりなっていて取り外せるので、使用者が自由にそれぞれユニークなキャップ体を緩ませることなく交換することもできるため、商品としての価値を格段に高めることができる。
【図面の簡単な説明】
【００２４】
【図１】第１の実施形態のゴルフクラブグリップ１０の分解図。
【図２】第１の実施形態のゴルフクラブグリップ１０の要部横断面図。
【図３】第１の実施形態のゴルフクラブグリップ１０の要部縦断面図。
【図４】第２の実施形態のゴルフクラブグリップ２０の要部横断面図。
【図５】第２の実施形態のゴルフクラブグリップ２０の要部縦断面図。
【図６】第３の実施形態のゴルフクラブグリップ３０の要部縦断面図。
【図７】第４の実施形態のゴルフクラブグリップ４０の要部縦断面図。
【図８】第５の実施形態のゴルフクラブグリップ５０の要部縦断面図。
【図９】第６の実施形態のゴルフクラブグリップ６０の要部縦断面図。
【図１０】従来例のゴルフクラブグリップ７０の分解図。
【図１１】従来例のゴルフクラブグリップ７０の縦断面図。
【符号の説明】
【００２５】
１０、２０、３０、４０、５０、６０  ゴルフクラブグリップ
１１、２１、３１  スリーブ体
１１１  第１端
１１２、２１２  第２端
１１３  フランジ
１１ａ、１１ｂ  開口
１１ｃ、１３ａ、３１ｃ、３３ａ  ねじ穴
１２、２２、３２  滑り防止シート
１２ａ  バインダー層
１３、３３、５３、６３  キャップ体
１３１、５３１、６３１  平板体
１３２、３３２、５３２、６３２  周壁
１３３、２３３  端縁
１３４、２３４  ビス
２２１、２２２  凹凸接合構造
４３ｃ  装飾用凹部
４３ｄ、５３ｄ、６３ｅ  宝石
５３５、６３５  環状フェンス
５３ｅ  プロテクター
【図１】
2006198402.tif 000003
【図２】
2006198402.tif 000004
【図３】
2006198402.tif 000005
【図４】
2006198402.tif 000006
【図５】
2006198402.tif 000007
【図６】
2006198402.tif 000008
【図７】
2006198402.tif 000009
【図８】
2006198402.tif 000010
【図９】
2006198402.tif 000011
【図１０】
2006198402.tif 000012
【図１１】
2006198402.tif 000013